(57)【特許請求の範囲】
【請求項１】
射出成形金型の雌型のキャビティ形成面形状にほぼ合致するようにプレフォームされたインサートフィルムについて所望の射出成形品表面の周縁端よりはみ出ないように予めインサート成形前に不要部分をトリミングするフィルムトリミング装置において、アンダーカット部および射出成形品表面とほぼ合致する形状を呈するフィルム支持面を有しかつ該フィルム支持面とアンダーカット部とのエッジである固定刃を射出成形品表面の周縁端に対応する箇所又はこれに射出成形品裏面へのフィルム回し込み幅を加えた箇所に有するダイカットコアーと、該ダイカットコアーに装着されたインサートフィルムを上方より押さえて固定するフィルム押さえプレートと、２個以上に分割されてほぼ水平移動して前記ダイカットコアーのアンダーカット部内に進出後退可能でありかつ前記固定刃と協働してフィルム切断作用をする略水平可動刃であるエッジを有するスライドブロックとを少なくとも具備することを特徴とするフィルムトリミング装置。
【請求項２】
前記ダイカットコアーの固定刃の形状が、射出成形品表面の側部下端の形状に則した形状である請求項１記載のフィルムトリミング装置。
【請求項３】
前記ダイカットコアーの射出成形品表面の側部に対応する箇所に穴部を有し、該穴部に嵌合する穴開け用凸部が前記分割されたスライドブロックの少なくとも一つとともに水平移動する請求項１または請求項２のいずれかに記載のフィルムトリミング装置。
【請求項４】
前記スライドブロックの駆動にカム機構を用い、フィルム押さえプレートの動きと連動させた請求項１〜３のいずれかに記載のフィルムトリミング装置。
【請求項５】
前記スライドブロックの駆動にエアーシリンダーまたはオイルシリンダーを用い、スライドブロック間で時間差を設けて動作させる請求項１〜３のいずれかに記載のフィルムトリミング装置。
【請求項６】
プレフォームされたインサートフィルムをトリミングしたときに残るリング状フィルムを装置外に取り出す搬送手段を備えた請求項１〜５のいずれかに記載のフィルムトリミング装置。
【請求項７】
前記固定刃と略水平可動刃により切断されるフィルムの切断箇所が一部不連続である請求項１〜６のいずれかにに記載フィルムトリミング装置。
【請求項８】
前記分割されたスライドブロックの少なくとも一つに前記略水平可動刃と交叉するリング切断可動刃を有し、前記ダイカットコアーのアンダーカット部側壁面と協働してフィルム切断作用をする請求項１〜７のいずれかに記載のフィルムトリミング装置。
【請求項９】
前記ダイカットコアーが射出成形品の表面天部に対応する箇所に穴部を有し、プレフォームされたインサートフィルムを前記フィルム押さえプレートによって固定した後に該穴部に嵌合する穴開け用パンチを有するパンチ支持プレートを備え、前記フィルム押さえプレートが上記穴開け用パンチを通すように貫通穴を有する請求項１〜８のいずれかに記載のフィルムトリミング装置。
【発明の詳細な説明】
【０００１】
【発明の属する技術の分野】
本発明は、携帯電話の筐体や、自動車の計器パネル、そのパネルに使用されるボタンやノブ等の立ち上がり面を持つ立体成形品表面にフィルムが一体化されたインサート成形品の製造方法において使用する、プレフォームされたインサートフィルムの不要部分をトリミングするためのフィルムトリミング装置に関する。
【０００２】
【従来の技術】
従来、インサート成形品の製造方法としては、射出成形金型の雌型のキャビティ形成面形状にほぼ合致するようにインサートフィルムをプレフォームし、プレフォームされたインサートフィルム４について所望の射出成形品表面の周縁端よりはみ出ないように予めインサート成形前に不要部分をトリミングし、つぎに、トリミングされたインサートフィルムを射出成形金型まで搬送し、射出成形金型の雌型のキャビティ形成面に装着し、つぎに、雌型と雄型とを型閉めしてキャビティを形成し、キャビティに成形樹脂を射出し、成形樹脂の冷却固化を待ってインサート成形品を射出成形金型内から取り出すものがある。
【０００３】
プレフォームされたインサートフィルム４のトリミング手段としては、切断方向が上下方向となる一対の固定刃６１，７１が上型６と下型７に設置されプレス機に取り付けられたフィルムトリミング装置（図１２参照）等が使用されている。したがって、射出成形品表面の側部の勾配が大きい場合には、プレフォームされたインサートフィルム４と上型６に設けられた固定刃６１とが擦れてインサートフィルムが傷付くことがないように、プレフォームされたインサートフィルム４の立ち上がり部分よりも少し外側でインサートフィルムを打抜いていた。この場合、図１３に示すように、トリミングされたインサートフィルムは、射出成形品表面の周縁端に対応する箇所の外側に張りだした平坦な鍔状部８を有することになる。
【０００４】
【発明が解決しようとする課題】
しかし、トリミングされたインサートフィルムが上記鍔状部８を有すると、これを射出成形金型の雌型のキャビティ形成面に装着して射出成形したときに次のような問題を生じた。まず、得られるインサート成形品にも射出成形品表面の周縁端の周りに上記鍔状部８が形成される。また、インサートフィルムの前記鍔状部８が外側に張りだしているため、インサートフィルムの端部を射出成形品裏面へ回し込むことができない。さらに、前記鍔状部８がキャビティ外のパーティング面に挟まれずにキャビティ内に収納されるようにインサートフィルムを短めにした場合、インサートフィルムの射出成形品表面の周縁端に対応する箇所がキャビティ形成面に接触できず、インサートフィルムとキャビティ形成面との間に空間が生じるため、得られるインサート成形品が成形の不完全なものとなったり、フィルムに皺を生じたり、インサート成形品表面の周縁端に成形樹脂が露出したりして外観的に見映えが悪い。
【０００５】
また、射出成形品表面の側部の勾配が大きい場合、鍔状部８を形成しないでトリミングすると、インサートフィルムの切断面が長くなってフィルム自体の色が露出するため外観的に見映えが悪いという問題が生じた。
【０００６】
さらに、従来のフィルムトリミング装置は切断方向が上下方向であるため、射出成形品表面の側部下端の形状が立ち上がり方向において曲線、折れ線またはこれらを複合した線のいずれかを描く形状の場合、プレフォームされたインサートフィルムを同様にトリミングするのは現実的には不可能であった。
【０００７】
したがって、本発明の目的は、上記の問題点を解決することにあり、射出成形品の表面の側部の勾配が大きい場合でもトリミングされたインサートフィルムに鍔状部を形成せずに済みかつトリミングされたインサートフィルムの切断面が露出せず、射出成形品表面の側部下端の形状に則した形状にインサートフィルムをトリミングすることが可能なフィルムトリミング装置を提供することにある。
【０００８】
【課題を解決するための手段】
上記目的を達成するために、本発明は、射出成形金型の雌型のキャビティ形成面形状にほぼ合致するようにプレフォームされたインサートフィルムについて所望の射出成形品表面の周縁端よりはみ出ないように予めインサート成形前に不要部分をトリミングするフィルムトリミング装置において、アンダーカット部および射出成形品表面とほぼ合致する形状を呈するフィルム支持面を有しかつ該フィルム支持面とアンダーカット部とのエッジである固定刃を射出成形品表面の周縁端に対応する箇所又はこれに射出成形品裏面へのフィルム回し込み幅を加えた箇所に有するダイカットコアーと、該ダイカットコアーに装着されたインサートフィルムを上方より押さえて固定するフィルム押さえプレートと、２個以上に分割されてほぼ水平移動して前記ダイカットコアーのアンダーカット部内に進出後退可能でありかつ前記固定刃と協働してフィルム切断作用をする略水平可動刃であるエッジを有するスライドブロックとを少なくとも具備するように構成した。
【０００９】
また、上記構成において、前記ダイカットコアーの固定刃の形状が、射出成形品表面の側部下端の形状に則した形状であるようにした。
【００１０】
また、上記構成において、前記ダイカットコアーの射出成形品表面の側部に対応する箇所に穴部を有し、該穴部に嵌合する穴開け用凸部が前記分割されたスライドブロックの少なくとも一つとともに水平移動するようにした。
【００１１】
また、上記構成において、前記スライドブロックの駆動にカム機構を用い、フィルム押さえプレートの動きと連動するようにした。
【００１２】
また、上記構成において、前記スライドブロックの駆動にエアーシリンダーまたはオイルシリンダーを用い、スライドブロック間で時間差を設けて動作するようにした。
【００１３】
また、上記構成において、プレフォームされたインサートフィルムをトリミングしたときに残るリング状フィルムを装置外に取り出す搬送手段を備えるようにした。
【００１４】
また、上記構成において、前記固定刃と略水平可動刃により切断されるフィルムの切断箇所が一部不連続であるようにした。
【００１５】
また、上記構成において、前記分割されたスライドブロックの少なくとも一つに前記略水平可動刃と交叉するリング切断可動刃を有し、前記ダイカットコアーのアンダーカット部側壁面と協働してフィルム切断作用をするようにした。
【００１６】
また、上記構成において、前記ダイカットコアーが射出成形品の表面天部に対応する箇所に穴部を有し、プレフォームされたインサートフィルムを前記フィルム押さえプレートによって固定した後に該穴部に嵌合する穴開け用パンチを有するパンチ支持プレートを備え、前記フィルム押さえプレートが上記穴開け用パンチを通すように貫通穴を有するようにした。
【００１７】
【発明の実施の形態】
以下、図面を参照しながら本発明のフィルムトリミング装置をさらに詳しく説明する。
【００１８】
図１は本発明に係るフィルムトリミング装置の一実施例を示す部分断面平面図である。図２は本発明に係るフィルムトリミング装置の一実施例を示す部分断面側面図である。図３は分割されたスライドブロックどうしの進出位置が重なり合う場合を示す平面図である。図４は本発明に係るフィルムトリミング装置によってトリミングされたインサートフィルムの一例を示す説明図である。図５は本発明に係るフィルムトリミング装置に穴開け用パンチを有するパンチ支持プレートを備えた一例を示す部分断面側面図である。図６は本発明に係るフィルムトリミング装置にトリミング後に残ったリング状フィルムを切断する手段を備えた一例を示す部分断面平面図である。図７は本発明に係るフィルムトリミング装置にトリミング後に残ったリング状フィルムの搬送手段を備えた一例を示す側面図である。図８は本発明に係るフィルムトリミング装置によって結合点を残しトリミングされたインサートフィルムの一例を示す側面図である。図９は本発明に係るフィルムトリミング装置におけるスライドブロックの駆動手段にカム機構を用いたものを示す部分断面側面図である。図１０は本発明に係るフィルムトリミング装置におけるスライドブロックの駆動手段にシリンダーを用いたものを示す部分断面側面図である。図１１は本発明に係るフィルムトリミング装置にスライドブロックととも水平移動する穴開け用凸部を備えた一例を示す部分断面側面図である。図１４は本発明に係るフィルムトリミング装置を取り付けるプレス機を示す説明図である。
【００１９】
図中、１はダイカットコアー、１１はフィルム支持面、１２はアンダーカット部、１３は固定刃、１４は穴部、１５は穴部、２はフィルム押さえプレート、２１は穴開け用パンチ、３はスライドブロック、３１は略水平可動刃、３２はカム、３３はシリンダー、３４はリング切断可動刃、４はプレフォームされたインサートフィルム、４１はリング状フィルム、４２は結合点、４３は切断線、４４は切れ目、５は搬送手段、５１は支持台、５２は可動アーム、５３は搬送ヘッド、９は穴開け用凸部、１００はパンチ支持プレート、１０１は穴開け用パンチ、１０２はバネ、１０３は支持兼ガイド棒、２００はプレス機、２０１は上プレート、２０２は下プレート、２０３はシリンダー、３００フィルムトリミングは装置をそれぞれ示す
【００２０】
本発明のフィルムトリミング装置３００は、下記のダイカットコアー１とフィルム押さえプレート２とスライドブロックを少なくとも具備し、射出成形金型の雌型のキャビティ形成面形状にほぼ合致するようにプレフォームされたインサートフィルム４について所望の射出成形品表面の周縁端よりはみ出ないように予めインサート成形前に不要部分をトリミングするものであり、特にプレフォームされたインサートフィルム４をプレフォーム方向とほぼ垂直な方向に切断するするものである（図１〜１１参照）。また、本発明のフィルムトリミング装置３００は、図１４に示すようなプレス機２００に取付けて使用され、具体的には上プレート２０１にフィルム押さえプレート２や後述のパンチ支持プレート１００、下プレート２０２にダイカットコアー１およびスライドブロック３をそれぞれ支持する。
【００２１】
ダイカットコアー１は、プレス機２００の下プレート２０２に支持され、射出成形金型の雌型のキャビティ形成面形状にほぼ合致するようにプレフォームされたインサートフィルム４をその所定箇所を切断可能なように位置決め配置するものであり、射出成形品表面とほぼ合致する形状を呈するフィルム支持面１１を有する（図１及び図２参照）。また、ダイカットコアー１は、アンダーカット部１２を有する。そして、本発明の特徴として、上記アンダーカット部と上記フィルム支持面１１とのエッジである固定刃１３を射出成形品表面の周縁端に対応する箇所に有する。また、この固定刃１３の位置は、射出成形品表面の周縁端に対応する箇所に射出成形品裏面へのフィルム回し込み幅、通常、０．１ｍｍ以下を加えた箇所に有するようにしてもよい。なお、図１及び図２においては、フィルム支持面１１がプレフォームされたインサートフィルム４の下面と全面に接触するように構成されているが、インサートフィルムを位置決めできかつ固定刃１３を構成できるならば、周縁部のみ接触するようにしてもよい（図示せず）。また、本発明において上記射出成形品裏面へのフィルム回し込みとは、射出成形品表面の周縁端の全部について行う場合、一部のみに行う場合の両方を含む。
【００２２】
また、本発明のフィルムトリミング装置では、インサートフィルムをプレフォーム方向とほぼ垂直な方向に切断するため、射出成形品表面の側部下端の形状が立ち上がり方向において曲線、折れ線またはこれらを複合した線のいずれかを描く形状の場合でも、ダイカットコアー１の固定刃１３の形状を射出成形品表面の側部下端の形状に則した形状とすることにより容易にトリミング可能である（図４ｂ側面参照）。
【００２３】
フィルム押さえプレート２は、ダイカットコアー１に対して相対的に上下方向に移動し、ダイカットコアー１に装着されたインサートフィルムをダイカットコアー１の上方より固定し、インサートフィルムの打抜き時に位置ズレしないようにするものである（図２，図５参照）。フィルム押さえプレート２はプレス機２００の上プレート２０１に取り付けられ、上プレート２０１がオイルシリンダー２０３等の駆動で昇降することによりダイカットコアー１に離間・接近する。なお、図２においてはプレフォームされたインサートフィルム４の上面と全体的に接触するように構成されているが、インサートフィルムを固定できるならば、一部のみ接触するように構成してもよい（図示せず）。フィルム押さえプレート２は、１個でもよいし、２個以上の部材からなっていてもよい。
【００２４】
スライドブロック３は、２個以上に分割されており、ほぼ水平移動して前記ダイカットコア１ーのアンダーカット１２部内に進出後退可能である。そして前記固定刃１３と協働してフィルム切断作用をする略水平可動刃３１であるエッジを有する（図１及び図２参照）。この略水平可動刃３１と前記固定刃１３のすれちがいざまの間隔は、５〜１００μｍの間隙が開くように設定しておくことが好ましい。各略水平可動刃３１は、図３に示すようにダイカットコアー１のアンダーカット部１２内での進出位置が互いに重なり合うようにするのが、インサートフィルムを漏れなく切断する点から好ましい。なお、スライドブロック３の移動は、完全に水平方向でなくてもよく、例えば斜め上方向から斜め下方向に向かって移動する場合も含まれる。またスライドコア−３の分割数は、図１に示した４個以外に２個、３個、５〜８個、あるいはそれ以上でも可能である。また、スライドコア−３は、切断面が綺麗になるように略水平可動刃３１を構成するエッジの角度を鋭角にしてもよい。
【００２５】
なお、上記２個以上に分割されたスライドブロック３の駆動は、カム３２機構を用い、フィルム押さえプレート２の下降のタイミングと連動させて移動を開始または終了してもよいし（図９参照）、エアーシリンダーまたはオイルシリンダー３３を用い、フィルム押さえプレート２の下降とは連動させなくてもよいし（図１０参照）、両者を組合せてもよい。
【００２６】
また、２個以上に分割されたスライドブロック３のうち一のスライドブロック３と他のスライドブロック３とは同時に移動を開始または終了してもよいが、略水平可動刃３１の進出位置を互いに重なり合うようにする場合には、エアーシリンダーまたはオイルシリンダー３３を用い、スライドブロック３どうしが互いに干渉しないように時間間隔をおいて移動を開始または終了させる。
【００２７】
また、前記ダイカットコアー１が射出成形品表面の側部に対応する箇所に穴部１４を有し、該穴部１４に嵌合する穴開け用凸部９が前記分割されたスライドブロック３の少なくとも一つとともに水平移動するようにしてもよい（図１１参照）。こうすることで、トリミングと同時にプレフォームされたインサートフィルム４の射出成形品表面の側部に対応する箇所に穴を開けることができ、効率的である。例えば、携帯電話の筐体の場合、側部にアンテナや入出力端子用の穴が設けられる。
【００２８】
なお、上記フィルムトリミング装置において、プレフォームされたインサートフィルム４をトリミングしたときに残るリング状フィルム４１を装置外に取り出す搬送手段５を備えてもよい（図７参照）。インサートフィルムをトリミングしたときに残る不要部分はリング状であり、かつダイカットコア−１がプレス機２００の下プレート２０２に支持されている。そのため、上記不要部分はダイカットコア−１にリングが引っ掛かるので下方に落下させて排出することができない。そして、放置しておくとダイカットコア−１の根元に溜まり続ける。リング状フィルム４１の搬送手段は、支持台５１と可動アーム５２と搬出ヘッド５３などからなっている。支持台５１は、ダイカットコア−１等に対して固定された場所に設置されている。可動アーム５２は、支持台５１を軸にして回転可能であり、また、可動アーム５２の軸を中心にして自転可能であり、また、支持体に対して上下左右に移動可能に設けられている。搬送ヘッド５３は可動アーム５２に対して遠ざかったり近寄ったりできるように移動可能に設けられている。搬送手段は、多関節ロボットからなっていてもよい。また、搬送ヘッド５３には、真空吸引手段や圧空手段、吸盤（図示せず）などを設けておき、プレフォームされトリミングされたインサートフィルムの保持および開放が任意に行なえるようにしておくとよい。また、プレフォームされたインサートフィルム４をダイカットコアー１に装着したり、トリミングされたインサートフィルムを装置外に取りだす際にも、同様の手段を使用できる（図示せず）。
【００２９】
なお、ダイカットコア−１の固定刃１３の寸法とリング状フィルム４１のリング内側の寸法は一致しているため、リング状フィルム４１を分離した後にダイカットコア−１から抜き取るのは手間がかかる。そこで、前記固定刃１３と略水平可動刃３１により切断されるフィルムの切断箇所が一部不連続であるようにしてもよい。こうすることで、図８に示すように、プレフォームされたインサートフィルム４に１又は数点の結合点４２を除く切断線４３を形成し、これをフィルムトリミング装置外に排出した後にリング状フィルム４１を分離することができる。リング状フィルム４１がくっついた状態でフィルムトリミング装置外に排出されたインサートフィルムは、点で結合しているだけなので、引きちぎるだけでリング状フィルム４１と容易に分離できる。
【００３０】
また、図６に示すように、前記分割されたスライドブロック３の少なくとも一つに前記略水平可動刃３１と交叉するリング切断可動刃３４を有し、前記ダイカットコアー１のアンダーカット部１２側壁面と協働してフィルム切断作用をするようにしてもよい。こうすることで、プレフォームされたインサートフィルム４をトリミングした直後に、リング状フィルム４１に切れ目４４が形成されるため、ダイカットコア−１に引っ掛からない。なお、このリング切断可動刃３４は記略水平可動刃３１と垂直に交叉してもよいし、斜めに交叉してもよい。また、前記搬送手段５でリング状フィルム４１を装置外に取り出す場合には１箇所に切れ目４４を入れるだけでもよいが、自然に落下にまかせてリング状フィルム４１を装置外に取り出す場合には２箇所以上に切れ目４４を入れてリング状フィルム４１を分割する必要がある。
【００３１】
また、図１１に示すように、前記ダイカットコアー１が射出成形品の表面天部に対応する箇所に穴部１５を有し、プレフォームされたインサートフィルム４を前記フィルム押さえプレート２によって固定した後に該穴部１５に嵌合する穴開け用パンチ１０１を有するパンチ支持プレート１００を備え、前記フィルム押さえプレート２が上記穴開け用パンチ１０１を通すように貫通穴２１を有するようにしてもよい。こうすることで、トリミングと同時にプレフォームされたインサートフィルム４の射出成形品表面の天部に対応する箇所に穴を開けることができ、効率的である。例えば、携帯電話の筐体の場合、天部にＬＣＤ用やボタン用の穴が設けられる。なお、パンチ支持プレート１００には、フィルム押さえプレート２との緩衝の働きをするバネ１０２と、またフィルム押さえプレート２が落ちないように支持し、かつ、パンチ支持プレート１００の上記穴開け用パンチ１０１が振れないで前記フィルム押さえプレート２の貫通穴２１を通るようにガイドする支持兼ガイド棒１０３とが設けられている。
【００３２】
以下、本発明のフィルムトリミング装置を用いたトリミングの例を、図面を参照しながら説明する。
【００３３】
まず、プレフォームされたインサートフィルム４を装置内に供給し（図２参照）、ダイカットコア−１の射出成形品表面とほぼ合致する形状を呈するフィルム支持面１１に装着する。
【００３４】
プレフォームされたインサートフィルム４としては、基材上に、図柄層、接着層などが順次形成され、射出成形金型の雌型のキャビティ形成面形状にほぼ合致するようにプレフォームされたものがある。基材は、通常のインサートフィルムの基材フィルムや基材シートとして使用されるものであり、ポリエチレンテレフタレートなどの０．０５〜１ｍｍのプラスチックフィルムなどがある。また、基材として０．０２〜０．５ｍｍのアルミニウム、ステンレス、銅等の金属箔を用いてもよい。図柄層は、射出成形品表面に、模様、絵画、ロゴ、文字、抜き文字、記号などを形成するために、透光性インキや遮光性インキなどを用いて印刷などの通常の形成方法で形成される。図柄層は、真空蒸着によって形成された金属層を有していてもよい。接着層は、射出成形品の成形と同時に射出成形品表面にプレフォームされトリミングされたインサートフィルムを接着させるためのものであり、射出成形品を構成する樹脂と同系の樹脂を用いて、印刷などの通常の形成方法で形成される。
【００３５】
プレフォームされたインサートフィルム４の搬送および装着は、前記した支持台５１と可動アーム５２と搬送ヘッド５３とからなる搬送手段５０で行なうとよい。プレフォームされたインサートフィルム４は、射出成形金型の雌型のキャビティ形成面形状にほぼ合致するようにプレフォームされているから、射出成形品表面とほぼ合致する形状を呈するフィルム支持面１１に嵌め込むだけで、所定のトリミング位置に装着できる。
【００３６】
次に、プレス機２００の上プレート２０１を下降させ、該上プレート２０１に取り付けられたフィルム押さえプレート２をプレフォームされたインサートフィルム４およびダイカットコアー１に接近させ、該ダイカットコアー１のフィルム支持面１１に装着されたインサートフィルムを上方より押さえて固定する。
【００３７】
次に、２個以上に分割され略水平可動刃３１であるエッジを有するスライドブロック３をほぼ水平移動し（図１参照）、前記ダイカットコアー１のアンダーカット部１２内に進出させることにより該略水平可動刃３１と前記ダイカットコアー１の固定刃１３とで協働してプレフォームされたインサートフィルム４をほぼ水平方向に切断する（図５参照）。なお、略水平可動刃３１は進出位置を互いに重なり合うようにし、エアーシリンダーまたはオイルシリンダー３３を用い、スライドブロック３どうしが互いに干渉しないように時間間隔をおいて移動させるとよい。
【００３８】
上記フィルム切断と同時又は前後して、プレフォームされたインサートフィルム４の射出成形品の表面天部に対応する箇所に穴を開けるようにするとよい（図４参照）。手段としては、前記ダイカットコアー１の射出成形品の表面天部に対応する箇所に穴部１５を設けておき、前記パンチ支持プレート１００の支持されたプレス機２００の上プレート２０１を更に下降させることにより、前記パンチ支持プレート１００が有する穴開け用パンチ１０１を前記フィルム押さえプレート２の貫通穴２１を通し、その下の前記ダイカットコアー１の穴部１５に進出させ嵌合することによりインサートフィルムに穴を開ける（図１及び図５参照）。
【００３９】
また、上記フィルム切断の際、プレフォームされたインサートフィルム４の射出成形品の表面側部に対応する箇所に穴を開けるようにしてもよい（図４参照）。手段としては、前記ダイカットコアー１の射出成形品表面の側部に対応する箇所に穴部１４を設けておき、前記分割されたスライドブロック３の少なくとも一つとともに穴開け用凸部３４を水平移動させ穴部１４に嵌合することによりインサートフィルムに穴を開ける（図１１参照）。
【００４０】
また、上記フィルム切断の際、プレフォームされたインサートフィルム４からトリミング除去されたリング状フィルム４１に切れ目を形成するようにしてもよい、手段としては、前記分割されたスライドブロック３の少なくとも一つに前記略水平可動刃３１と交叉するリング切断可動刃３５を設けておき、前記ダイカットコアー１のアンダーカット部１２の側壁面と協働してフィルム切断させる（図６参照）。なお、複数の切れ目４４を形成する場合は、前記可動アーム５２等からなる搬送手段５０を使用しなくてもリング状フィルム４１の自動排出が可能である。
【００４１】
最後に、フィルム押さえプレート２とインサートフィルムとの間を離間させた後、トリミングされたインサートフィルムをダイカットコアー１のフィルム支持面１１より取外す。スライドブロック３は、トリミングされたインサートフィルムを取外す前かフィルム押さえプレート２とインサートフィルムとの間を離間させる前のいずれかの段階、あるいはトリミングされたインサートフィルムを取外した後に元の位置に後退させる。
【００４２】
【発明の効果】
本発明のフィルムトリミング装置は、以上のとおりの構成を有するので、次のような優れた効果を有する。
【００４３】
すなわち、アンダーカット部および射出成形品表面とほぼ合致する形状を呈するフィルム支持面を有しかつ該フィルム支持面とアンダーカット部とのエッジである固定刃を射出成形品表面の周縁端に対応する箇所又はこれに射出成形品裏面へのフィルム回し込み幅を加えた箇所に有するダイカットコアーと、該ダイカットコアーに装着されたインサートフィルムを上方より押さえて固定するフィルム押さえプレートと、２個以上に分割されてほぼ水平移動して前記ダイカットコアーのアンダーカット部内に進出後退可能でありかつ前記固定刃と協働してフィルム切断作用をする略水平可動刃であるエッジを有するスライドブロックとを少なくとも具備する。つまり、プレフォームされたインサートフィルムの切断方向がプレフォーム方向とほぼ垂直方向になるので、トリミングされたインサートフィルムに鍔状部が形成されない。
【００４４】
また、プレフォームされたインサートフィルムの切断方向がプレフォーム方向とほぼ垂直方向になるので、トリミングされたインサートフィルムの切断面が長くなってフィルム自体の色が露出することがない。
【００４５】
また、プレフォームされたインサートフィルムの切断方向がプレフォーム方向とほぼ垂直方向になるので、射出成形品表面の側部下端の形状に則してトリミングができる。
【図面の簡単な説明】
【図１】本発明に係るフィルムトリミング装置の一実施例を示す部分断面平面図である。
【図２】本発明に係るフィルムトリミング装置の一実施例を示す部分断面側面図である。
【図３】分割されたスライドブロックどうしの進出位置が重なり合う場合を示す平面図である。
【図４】本発明に係るフィルムトリミング装置によってトリミングされたインサートフィルムの一例を示す説明図である。
【図５】本発明に係る穴開け用パンチを有するパンチ支持プレートを備えた一例を示す部分断面側面図である。
【図６】本発明に係るフィルムトリミング装置にトリミング後に残ったリング状フィルムを切断する手段を備えた一例を示す部分断面平面図である。
【図７】本発明に係るフィルムトリミング装置にトリミング後に残ったリング状フィルムの搬送手段を備えた一例を示す側面図である。
【図８】本発明に係るフィルムトリミング装置によって結合点を残しトリミングされたインサートフィルムの一例を示す側面図である。
【図９】本発明に係るフィルムトリミング装置におけるスライドブロックの駆動手段にカム機構を用いたものを示す部分断面側面図である。
【図１０】本発明に係るフィルムトリミング装置におけるスライドブロックの駆動手段にシリンダーを用いたものを示す部分断面側面図である。
【図１１】本発明に係るフィルムトリミング装置にスライドブロックととも水平移動する穴開け用凸部を備えた一例を示す部分断面側面図である。
【図１２】従来技術に係るフィルムトリミング装置の一実施例を示す図である。
【図１３】従来技術に係るフィルムトリミング装置によってトリミングされたインサートフィルムの一例を示す説明図である。
【図１４】本発明に係るフィルムトリミング装置を取り付けるプレス機を示す説明図である。
【符号の説明】
１  ダイカットコアー
１１  フィルム支持面
１２  アンダーカット部
１３  固定刃
１４  穴部
１５  穴部
２  フィルム押さえプレート
２１  貫通穴
３  スライドブロック
３１  略水平可動刃
３２  カム
３３  シリンダー
３５  リング切断可動刃
４  プレフォームされたインサートフィルム
４１  リング状フィルム
４２  結合点
４３  切断線
４４  切れ目
５  搬送手段
５１  支持台
５２  可動アーム
５３  搬送ヘッド
６  上型
６１  固定刃
７  下型
７１  固定刃
８  鍔状部
９  穴開け用凸部
１００  パンチ支持プレート
１０１  穴開け用パンチ
１０２  バネ
１０３  支持兼ガイド棒
２００  プレス機
２０１  上プレート
２０２  下プレート
２０３  シリンダー
３００  フィルムトリミング装置
【図１】
0003546168.tif 000002
【図２】
0003546168.tif 000003
【図３】
0003546168.tif 000004
【図４】
0003546168.tif 000005
【図５】
0003546168.tif 000006
【図６】
0003546168.tif 000007
【図７】
0003546168.tif 000008
【図８】
0003546168.tif 000009
【図９】
0003546168.tif 000010
【図１０】
0003546168.tif 000011
【図１１】
0003546168.tif 000012
【図１２】
0003546168.tif 000013
【図１３】
0003546168.tif 000014
【図１４】
0003546168.tif 000015